(57)【要約】【課題】カップホルダーを用いずに飲料を零れにくくでき、カップ飲料の出し入れがしやすいカップ飲料用手提げポリ袋を提供する。【解決手段】底マチ３を形成する折込み部と、左右の側部Ｌ，Ｒから下方内向きに傾斜して前記折込み部までわたる左右一対の側方帯状溶着シール部４，４とを備え、左右一対の側方帯状溶着シール４，４部間をカップ飲料１個の収容部Ａ１とした。収容部Ａ１にカップコ飲料を収容して底マチ３を広げた状態で、カップ飲料の容器本体の底部が、底マチ３及び底マチ３を形成する折込み部までわたる左右の帯状溶着シール部４，４により保持されるとともに、カップ飲料の容器本体が上下方向に長い左右の帯状溶着シール部４，４により形成される収容部Ａ１の側面全体により保持されるため、手提げポリ袋１内でカップ飲料が傾いて飲料が零れることを抑制できる。【選択図】図３
2016098039.tif 000002
【特許請求の範囲】
【請求項１】
カップ飲料を持ち運ぶ際に使用する、合成樹脂フィルムからなる手提げポリ袋であって、
底マチを形成する折込み部と、左右の側部から下方内向きに傾斜して前記折込み部までわたる左右一対の側方帯状溶着シール部とを備え、前記左右一対の側方帯状溶着シール部間を前記カップ飲料１個の収容部としたことを特徴とするカップ飲料用手提げポリ袋。
【請求項２】
カップ飲料を持ち運ぶ際に使用する、合成樹脂フィルムからなる手提げポリ袋であって、
底マチを形成する折込み部と、左右の側部から下方内向きに傾斜して前記折込み部までわたる左右一対の側方帯状溶着シール部と、前記側方帯状溶着シール部よりも左右方向内方に位置する、上下方向中間部から下方へ伸びて前記折込み部までわたる左右一対の内方帯状溶着シール部とを備え、前記側方帯状溶着シール部及び前記内方帯状溶着シール部間を夫々前記カップ飲料１個の収容部として２個のカップ飲料を収容し、左右方向中央部を折り曲げて上辺部を重ねた状態として持ち帰ることを特徴とするカップ飲料用手提げポリ袋。
【請求項３】
カップ飲料を持ち運ぶ際に使用する、合成樹脂フィルムからなる手提げポリ袋であって、
底マチを形成する折込み部と、左右の側部から下方内向きに傾斜して前記折込み部までわたる左右一対の側方帯状溶着シール部と、左右方向中央の上下方向中間部から下方へ伸びて前記折込み部までわたる１つの内方帯状溶着シール部とを備え、前記側方帯状溶着シール部及び前記内方帯状溶着シール部間を夫々前記カップ飲料１個の収容部として２個のカップ飲料を収容し、左右方向中央部を折り曲げて上辺部を重ねた状態として持ち帰ることを特徴とするカップ飲料用手提げポリ袋。
【請求項４】
前記内方帯状溶着シール部を下方外向きに傾斜するものとして、その鉛直線に対する傾斜角度を、前記側方帯状溶着シール部の鉛直線に対する傾斜角度よりも小さくしてなるか、あるいは前記内方帯状溶着シール部を鉛直方向へ伸びるものとしてなる請求項２記載のカップ飲料用手提げポリ袋。
【請求項５】
前記帯状溶着シール部の上側部分を左右方向の幅を小さくした縮幅部とするとともに、前記縮幅部の左右を開口部とし、前後のシートの前記収容部の上方に手穴を設けてなる請求項１〜４の何れか１項に記載のカップ飲料用手提げポリ袋。
【発明の詳細な説明】
【技術分野】
【０００１】
本発明は、１杯ごとに挽きたてをドリップしたカップコーヒー等のカップ飲料を持ち帰る際に使用する手提げポリ袋に関する。
【背景技術】
【０００２】
近年大流行しているコンビニエンスストアで１杯ごとに挽きたてをドリップしたカップコーヒーを持ち帰る場合、直接手で持った状態で持ち帰ると、ホットコーヒーは熱くアイスコーヒーは冷たいので、比較的短時間しか持つことが困難である。また、カップコーヒーを直接手で持った状態で持ち帰ると、他の買い物を入れた手提げポリ袋（いわゆるレジ袋：特許文献１参照）やバッグ等とともに持ちにくい場合がある。
よって、持ち帰りにある程度の時間（例えば５分以上）が掛かる場合には、カップコーヒーが１個の場合は小さい手提げポリ袋に入れることが多く、カップコーヒーが２個以上の場合は、マチの付いた手提げ紙袋内に紙製のカップホルダー（例えば、非特許文献１参照）を入れ、このカップホルダーにカップコーヒーを保持することが多い。
【０００３】
ここで、カップコーヒー等のカップ飲料を持ち帰る際の使用に適したカップ専用の手提げポリ袋の提案として、折り畳んだ状態から組み立てるとカップホルダーになる紙製のキャリア（２）をガセット袋（１）内に予め収容しておくとともに、ガセット袋（１）の内部でキャリア（２）をずれにくくしたものがある（例えば、特許文献２参照）。
また、平袋である手提袋本体（Ａ）の側面（１，２）を部分的に熱接着等により一体化するように構成してカップホルダーを用いないようにするものがある（例えば、特許文献３参照）。
【先行技術文献】
【特許文献】
【０００４】
【特許文献１】特開２００４−３５９２４７号公報
【特許文献２】特開２０１４−１８９３１４号公報
【特許文献３】特開２００６−０８９１０１号公報
【非特許文献】
【０００５】
【非特許文献１】「コーン＆カップホルダー４ヶ入（Ｍ）」，コード01251，水野産業株式会社，［平成２６年１１月２５日検索］，インターネット＜URL：http://www.mizunosangyo.co.jp/item.php?itemno=12&id=01251＞
【発明の概要】
【発明が解決しようとする課題】
【０００６】
以上のような従来のカップ飲料用手提げポリ袋として、一般的な手提げポリ袋内にカップコーヒー等のカップ飲料を収容して持ち運ぶ場合、持ち運んでいる際にカップ飲料が傾いて飲料が零れることが多いという問題点がある。
また、非特許文献１のような紙製のカップホルダーを手提げ紙袋内に入れる構成や、特許文献２のようなカップホルダーになる紙製のキャリア（２）をガセット袋（１）内に予め収容しておくようなカップホルダーを用いる構成では、その分の製造コストが嵩むという問題点がある。特に、コンビニエンスストアで１杯ごとに挽きたてをドリップしたカップコーヒーは安価であることから、コンビニエンスストアにおいて、カップホルダーを無くして製造コストを低減するニーズは大きい。
【０００７】
さらに、特許文献３のような手提袋本体（Ａ）の側面（１，２）を部分的に熱接着等により一体化する構成では、カップホルダーを用いないため製造コストが嵩むことはないが、カップ飲料の側面の一部のみを保持する構成であるので、持ち運んでいる際におけるカップ飲料の傾きを抑制する効果が十分であるとは言えず、持ち運んでいる際にカップ飲料が傾いて飲料が零れる場合がある。
その上、手提袋本体（Ａ）が合成樹脂フィルムからなる場合は可撓性が大きいので、２個のカップ飲料を収容して左右方向中央の手穴に指を入れて持った状態で、既にカップ飲料が傾いてしまって飲料が零れるおそれがあるため、使いにくいものである。
その上さらに、特許文献３のような平袋は、カップ飲料の横揺れを防ぐために胴まわり（幅）を小さくした場合、底を広げにくくなるので、カップ飲料の出し入れがしにくいものである。
【０００８】
そこで本発明が前述の状況に鑑み、解決しようとするところは、カップホルダーを用いずにコーヒー等の飲料を零れにくくできるとともに、カップコーヒー等のカップ飲料の出し入れがしやすいカップ飲料用手提げポリ袋を提供する点にある。
【課題を解決するための手段】
【０００９】
本発明に係るカップ飲料用手提げポリ袋は、前記課題解決のために、カップ飲料を持ち運ぶ際に使用する、合成樹脂フィルムからなる手提げポリ袋であって、１個のカップ飲料を収容する手提げポリ袋（請求項１）として、底マチを形成する折込み部と、左右の側部から下方内向きに傾斜して前記折込み部までわたる左右一対の側方帯状溶着シール部とを備え、前記左右一対の側方帯状溶着シール部間を前記カップ飲料１個の収容部としたことを特徴とするものである。
また、２個のカップ飲料を収容する手提げポリ袋（請求項２）として、底マチを形成する折込み部と、左右の側部から下方内向きに傾斜して前記折込み部までわたる左右一対の側方帯状溶着シール部と、前記側方帯状溶着シール部よりも左右方向内方に位置する、上下方向中間部から下方へ伸びて前記折込み部までわたる左右一対の内方帯状溶着シール部とを備え、前記側方帯状溶着シール部及び前記内方帯状溶着シール部間を夫々前記カップ飲料１個の収容部として２個のカップ飲料を収容し、左右方向中央部を折り曲げて上辺部を重ねた状態として持ち帰ることを特徴とするものである。
さらに、２個のカップ飲料を収容する手提げポリ袋（請求項３）として、底マチを形成する折込み部と、左右の側部から下方内向きに傾斜して前記折込み部までわたる左右一対の側方帯状溶着シール部と、左右方向中央の上下方向中間部から下方へ伸びて前記折込み部までわたる１つの内方帯状溶着シール部とを備え、前記側方帯状溶着シール部及び前記内方帯状溶着シール部間を夫々前記カップ飲料１個の収容部として２個のカップ飲料を収容し、左右方向中央部を折り曲げて上辺部を重ねた状態として持ち帰ることを特徴とするものである。
【００１０】
このような構成によれば、カップホルダーを使用しないため、従来のカップホルダーを使用する構成と比較して製造コストを低減できる。
その上、カップ飲料の収容部が、底マチを形成する折込み部までわたる、左右の側部から下方内向きに傾斜する左右一対の側方帯状溶着シール部間（請求項１）、底マチを形成する折込み部までわたる、左右の側部から下方内向きに傾斜する左右一対の側方帯状溶着シール部、及び前記側方帯状溶着シール部よりも左右方向内方に位置する内方帯状溶着シール部間（請求項２）、底マチを形成する折込み部までわたる、左右の側部から下方内向きに傾斜する左右一対の側方帯状溶着シール部、及び左右方向中央の上下方向中間部から下方へ伸びる内方帯状溶着シール部間（請求項３）であるので、前記収容部にカップ飲料を収容して底マチを広げた状態で、カップ飲料の容器本体の底部（下部）が、底マチ及び底マチを形成する折込み部までわたる左右の帯状溶着シール部により保持されるとともに、カップ飲料の容器本体が上下方向に長い左右の帯状溶着シール部により形成される収容部の側面全体により保持されるため、手提げポリ袋内でカップ飲料が傾いて飲料が零れることを抑制できるとともに、カップ飲料の出し入れが容易になる。
その上さらに、２個のカップ飲料を収容する手提げポリ袋（請求項２、請求項３）では、左右方向中央部を折り曲げて上辺部を重ねた状態として持ち帰るので、可撓性の大きい合成樹脂フィルムからなる手提げポリ袋で２個のカップ飲料を持ち帰る際に、よりコンパクトな形態で安定性を高めた状態で持ち帰ることができるため、飲料の零れ抑制効果が高くなる。
【００１１】
ここで、請求項２の２個のカップ飲料を収容する手提げポリ袋において、前記内方帯状溶着シール部を下方外向きに傾斜するものとして、その鉛直線に対する傾斜角度を、前記側方帯状溶着シール部の鉛直線に対する傾斜角度よりも小さくしてなるか、あるいは前記内方帯状溶着シール部を鉛直方向へ伸びるものとしてなると好ましい（請求項４）。
このような構成によれば、内方帯状溶着シール部の鉛直線に対する傾斜角度が側方帯状溶着シール部の鉛直線に対する傾斜角度よりも小さいか、あるいは内方帯状溶着シール部が鉛直方向へ伸びるものであるので、請求項２の２個のカップ飲料を収容する手提げポリ袋の左右方向中央部を折り曲げて上辺部を重ねた状態として持ち帰る際に、２個のカップ飲料の蓋同士が当接した状態でカップ飲料の下部間が開く内倒れ現象を抑制できるため、飲料の零れ抑制効果がさらに高くなる。
【００１２】
また、前記帯状溶着シール部の上側部分を左右方向の幅を小さくした縮幅部とするとともに、前記縮幅部の左右を開口部とし、前後のシートの前記収容部の上方に手穴を設けてなると好ましい（請求項５）。
このような構成によれば、帯状溶着シール部の上側部分が縮幅部であるとともに、その左右が開口しているので、カップ飲料の出し入れがしやすいとともに、収容部の隙間にマドラー、スティックシュガー及びスプーン等を収納しやすい。
その上、１個のカップ飲料を収容する手提げポリ袋（請求項１）において、前記左右の開口部が形成されていることから手提げポリ袋の上側部分を捲った状態で手提げポリ袋を介して容器を持ちながら飲料を飲むことにより、カップ飲料が熱い状態や冷たい状態である場合に熱さや冷たさを和らげる効果が大きい。
その上さらに、２個のカップ飲料を収容する手提げポリ袋（請求項２、請求項３、請求項４）において、２つの収容部の上方に設けられた２つの手穴を重ねることにより持ち帰る際の形態である左右方向中央部を折り曲げて上辺部を重ねた状態にし易く、その状態で手穴に指を通して持つことにより、２個のカップ飲料を収容した状態の手提げポリ袋を容易に持ち運ぶことができる。
【発明の効果】
【００１３】
以上のような本発明に係るカップ飲料用手提げポリ袋によれば、
（１）カップホルダーを使用しないため、従来のカップホルダーを使用する構成と比較して製造コストを低減できること、
（２）収容部にカップ飲料を収容して底マチを広げた状態で、カップ飲料の容器本体の底部（下部）が、底マチ及び底マチを形成する折込み部までわたる左右の帯状溶着シール部により保持されるとともに、カップ飲料の容器本体が上下方向に長い左右の帯状溶着シール部により形成される収容部の側面全体により保持されるため、手提げポリ袋内でカップ飲料が傾いて飲料が零れることを抑制できるとともに、カップ飲料の出し入れが容易になること、
（３）２個のカップ飲料を収容する手提げポリ袋では、左右方向中央部を折り曲げて上辺部を重ねた状態として持ち帰るので、可撓性の大きい合成樹脂フィルムからなる手提げポリ袋で２個のカップ飲料を持ち帰る際に、よりコンパクトな形態で安定性を高めた状態で持ち帰ることができるため、飲料の零れ抑制効果が高くなること、
等の顕著な効果を奏する。
【図面の簡単な説明】
【００１４】
【図１】本発明の実施の形態１に係るカップ飲料用手提げポリ袋にカップコーヒーを収容した状態を示す斜視図である。
【図２】同底面図である。
【図３】本発明の実施の形態１に係るカップ飲料用手提げポリ袋の正面図である。
【図４】カップコーヒーの正面図である。
【図５】手提げポリ袋の上側部分を捲った状態を示す斜視図である。
【図６】本発明の実施の形態１に係るカップ飲料用手提げポリ袋の製造工程において、チューブ状合成樹脂フィルムの両側縁を折り込んで折込み部を形成した状態を示す平面図である。
【図７】同製造工程において、側方帯状溶着シール部及び溶断シール部を形成した状態を示す平面図である。
【図８】（ａ）は最下流側の中間製造部材を、（ｂ）は（ａ）の中間製造部材を２つに切断した状態を示す平面図である。
【図９】図８（ｂ）で切断された部材を積層した状態で行う打ち抜き工程を示す平面図である。
【図１０】本発明の実施の形態２に係るカップ飲料用手提げポリ袋にカップコーヒーを収容した状態を示す斜視図である。
【図１１】左右方向中央部を折り曲げて上辺部を重ねた状態として持ち帰る際の形態を示す斜視図である。
【図１２】（ａ）は本発明の実施の形態２に係るカップ飲料用手提げポリ袋の正面図、（ｂ）は同手提げポリ袋の変形例を示す正面図である。
【図１３】同手提げポリ袋の変形例を示す正面図である。
【発明を実施するための形態】
【００１５】
次に本発明の実施の形態を添付図面に基づき詳細に説明するが、本発明は、添付図面に示された形態に限定されず特許請求の範囲に記載の要件を満たす実施形態の全てを含むものである。
本明細書において、手提げポリ袋にカップコーヒーを入れた状態を基準にし、手穴が正面に見える図を正面図とする。
【００１６】
実施の形態１．
図１の斜視図、図２の底面図、及び図３の正面図に示すように、本発明の実施の形態１に係るカップ飲料用手提げポリ袋１は、例えばコンビニエンスストアで１杯ごとに挽きたてをドリップしたカップコーヒーＣ１を持ち帰る際に使用する、合成樹脂フィルムからなる手提げポリ袋１であって、底マチ３を形成する折込み部（図６の製造工程における折込み部Ｆ参照）と、左右の側部Ｌ，Ｒから下方内向き（左右方向内方）に傾斜して前記折込み部までわたる左右一対の側方帯状溶着シール部４，４とを備え、左右一対の側方帯状溶着シール部４，４間をカップコーヒーＣ１の収容部Ａ１としたものである。
また、側方帯状溶着シール部４，４の左右方向外方には、上下方向の溶断シール部６，６があり、帯状溶着シール部４，４の上側部分を左右方向の幅を小さくした縮幅部Ｂとするとともに、縮幅部Ｂの左右を開口部Ｅ，Ｅとしている。
そして、前後のシートＳ１，Ｓ２の収容部Ａ１の上方に設けた左右方向に長い略小判形の手穴Ｈ１，Ｈ１に指を入れた状態で、図１の斜視図のように収容部Ａ１内にカップコーヒーＣ１が収容された手提げポリ袋１を持ち運ぶことができる。
ここで、手提げポリ袋１になる合成樹脂フィルムは、例えばオレフィン系合成樹脂のポリエチレンやポリプロピレン等を原材料とするフィルムである。
【００１７】
図３の正面図に示す側方帯状溶着シール部４の鉛直線に対する傾斜角度Ｄ１は、図４の正面図に示すカップコーヒーＣ１の底部側端縁から蓋の側端縁を結ぶ垂直面上の直線の鉛直線に対する傾斜角度Ｄよりも大きく設定され（Ｄ１＞Ｄ）、カップコーヒーＣ１を収容部Ａ１へ収容する際の入れやすさ、及び収容部Ａ１に収容されたカップコーヒーの取り出しやすさ等を考慮して決定される。
図１の斜視図及び図２の底面図に示すように、収容部Ａ１にカップコーヒーＣ１を収容して底マチ３を広げた状態では、カップコーヒーＣ１の容器本体の底部（下部）が、底マチ３及び底マチ３を形成する折込み部までわたる左右の帯状溶着シール部４，４により保持されるとともに、カップコーヒーＣ１の容器本体が上下方向に長い左右の側方帯状溶着シール部４，４により形成される収容部Ａ１の側面全体により保持されるため、手提げポリ袋１内でカップコーヒーＣ１が傾いてコーヒーが零れることを抑制できるとともに、カップコーヒーＣ１の出し入れが容易になる。
【００１８】
また、図３の正面図に示すように縮幅部Ｂがあるとともに、縮幅部Ｂの左右に開口部Ｅ，Ｅが形成されているので（図１の斜視図も参照）、カップコーヒーＣ１の出し入れがしやすいとともに、収容部Ａ１のカップコーヒーＣ１との隙間にマドラー、スティックシュガー及びスプーン等を収納しやすい。
さらに、左右の開口部Ｅ，Ｅが形成されていることから、図５の斜視図に示すように、手提げポリ袋１の上側部分を捲った状態にすることが容易であるため、手提げポリ袋１の上側部分を捲った状態で手提げポリ袋１を介して容器を持ちながらコーヒーを飲むことにより、手に伝わる熱さや冷たさを和らげることができる。
【００１９】
次に、カップ飲料用手提げポリ袋１の製造方法の一例について説明する。
図６の平面図に示すように、チューブ状合成樹脂フィルムＴは、その中空部分が搬送方向Ｇに沿うように配置された状態で、コンベア上で搬送方向Ｇへ間欠送りされ、所定経路位置Ｉに設けた例えば板状の折込部形成手段により、搬送方向Ｇへ向かって左右端縁の重合部に対して底マチ３，３を形成する折込み部Ｆ，Ｆが設けられる。
前記折込部形成手段よりも下流側位置である図７の平面図に示す所定経路位置Ｊにはヒートシール装置があり、帯状溶着シール部４，４，…、及び溶断シール部６が形成される。
ここで、帯状溶着シール部４，４，…は、フィルムＴの溶融温度以上に加熱したシールバーでプレスすることによりシールされた部分であり、３〜５ｍｍ程度の幅がある。また、溶断シール部６は、フィルムＴの溶融温度以上に加熱した溶断刃により切断することにより切断面がシールされた部分である。
【００２０】
図７の平面図における搬送方向Ｇの前後に溶断シール部６，６が形成された最下流側の中間製造部材Ｋは分離可能であるので、早送りにより図８（ａ）の平面図に示すように分離される。
次に、前記ヒートシール装置よりも下流側位置にある切断装置で、図８（ｂ）の平面図に示すように中間製造部材Ｋを切断線７で左右２つに分離することにより同一形状の袋状部材Ｎ，Ｎにする。
このように順次切断されて分離された袋状部材Ｎ，Ｎ，…は、別工程で積層された状態で、図９の平面図の二点鎖線に示す打抜き部８，９，１０を打ち抜くことにより、図３のカップ飲料用手提げポリ袋１の形態になる。
【００２１】
カップ飲料用手提げポリ袋１のように底マチ３のある袋は、上記製造方法のように溶断方式（溶断シール部６）で袋幅分離を行うのが最も適当である。
ここで、左右の開口部Ｅ，Ｅを設けていることから、例えば図５のように手提げポリ袋１の上側部分を捲る際やカップ飲料Ｃ１を出し入れする際に、溶断シール部６，６だけではシール幅が無いことからシール強度が低いため、溶断シール部６，６の上端の１点に力が掛かって生じた切れが進行する場合があり得る。しかしながら、左右の側部Ｌ，Ｒから下方内向きに傾斜して伸びる側方帯状溶着シール部４，４が設けられているため、溶断シール部６，６の前記切れの発生・進行を抑制できる。
【００２２】
実施の形態２．
実施の形態２及びその変形例を示す図１０〜図１３において、実施の形態１の図１〜図９と同一符号は同一又は相当部分を示している。
図１０及び図１１の斜視図、並びに図１２（ａ）の正面図に示すように、本発明の実施の形態２に係るカップ飲料用手提げポリ袋２は、例えばコンビニエンスストアで１杯ごとに挽きたてをドリップしたカップコーヒーＣ１，Ｃ２を持ち帰る際に使用する、合成樹脂フィルムからなる手提げポリ袋２であって、底マチ３を形成する折込み部と、左右の側部Ｌ，Ｒから下方内向き（左右方向内方）に傾斜して前記折込み部までわたる左右一対の側方帯状溶着シール部４，４と、側方帯状溶着シール部４，４よりも左右方向内方に位置する、上下方向中間部から下方へ伸びて前記折込み部までわたる左右一対の内方帯状溶着シール部５，５とを備え、側方帯状溶着シール部４及び内方帯状溶着シール部５間を夫々カップコーヒー１個の収容部Ａ１，Ａ２として２個のカップコーヒーＣ１，Ｃ２を収容し、左右方向中央部Ｍを折り曲げて図１１のように上辺部を重ねた状態として持ち帰るものである。
【００２３】
また、側方帯状溶着シール部４，４の左右方向外方には、上下方向の溶断シール部６，６があり、帯状溶着シール部４，４の上側部分を左右方向の幅を小さくした縮幅部Ｂとするとともに、縮幅部Ｂの左右を開口部Ｅ，Ｅとしており、前後のシートＳ１，Ｓ２の左右の収容部Ａ１，Ａ２の上方には、左右方向に長い略小判形の手穴Ｈ１，Ｈ１及びＨ２，Ｈ２が形成される。
このようなカップ飲料用手提げポリ袋２は、実施の形態１の図６〜図９と同様の製造工程により製造できる。
【００２４】
２個のカップコーヒーＣ１，Ｃ２を収容する手提げポリ袋２において、２つの収容部Ａ１，Ａ２の上方に設けられた２つの手穴Ｈ１，Ｈ２を重ねることにより、持ち帰る際の形態である左右方向中央部Ｍを折り曲げて上辺部を重ねた図１１の状態にし易く、その状態で手穴Ｈ１，Ｈ２に指を通して持つことにより、２個のカップコーヒーＣ１，Ｃ２を収容した状態の手提げポリ袋２を容易に持ち運ぶことができる。
【００２５】
２個のカップコーヒーＣ１，Ｃ２を収容する手提げポリ袋２は、１個のカップコーヒーＣ１を収容する手提げポリ袋１（図１〜図３）と同様に、収容部Ａ１，Ａ２にカップコーヒーＣ１，Ｃ２を収容して底マチ３を広げた状態で、カップコーヒーＣ１，Ｃ２の容器本体の底部（下部）が、底マチ３及び底マチを形成する折込み部までわたる左右の帯状溶着シール部４，５により保持されるとともに、カップコーヒーＣ１，Ｃ２の容器本体が上下方向に長い左右の帯状溶着シール部４，５により形成される収容部Ａ１，Ａ２の側面全体により保持されるため、手提げポリ袋２内でカップコーヒーＣ１，Ｃ２が傾いてコーヒーが零れることを抑制できるとともに、カップコーヒーＣ１，Ｃ２の出し入れが容易になる。
【００２６】
その上、左右方向中央部Ｍを折り曲げて上辺部を重ねた図１１の状態として持ち帰るので、可撓性の大きい合成樹脂フィルムからなる手提げポリ袋２で２個のカップコーヒーＣ１，Ｃ２を持ち帰る際に、よりコンパクトな形態で安定性を高めた状態で持ち帰ることができるため、コーヒーの零れ抑制効果が高くなる。
その上さらに、図１２（ａ）の正面図において、内方帯状溶着シール部５，５を下方外向き（左右方向外方）に傾斜するものとして、その鉛直線に対する傾斜角度Ｄ２を、側方帯状溶着シール４，４部の鉛直線に対する傾斜角度Ｄ１よりも小さくしている（Ｄ２＜Ｄ１）ので、左右方向中央部Ｍを折り曲げて上辺部を重ねた図１１の状態として持ち帰る際に、２個のカップコーヒーＣ１，Ｃ２の蓋同士が当接した状態でカップコーヒーＣ１，Ｃ２の下部間が開く内倒れ現象を抑制できるため、コーヒーの零れ抑制効果がさらに高くなる。
【００２７】
次に、２個のカップコーヒーＣ１，Ｃ２を収容する手提げポリ袋２の幾つかの変形例について説明する。
図１２（ｂ）の正面図に示す手提げポリ袋２は、図１２（ａ）の正面図に示す手提げポリ袋２の内方帯状溶着シール部５，５の上端部の形状を変えたものである。すなわち、内方帯状溶着シール部５，５の上端部の位置が図１２（ａ）よりも図１２（ｂ）の方が低く、図１２（ｂ）では内方帯状溶着シール部５，５の上端部同士を繋ぐ水平の帯状溶着シール部がある。
【００２８】
また、図１３（ａ）の正面図に示す手提げポリ袋２は、その内方帯状溶着シール部５，５を、図１２（ａ）及び（ｂ）のような下方外向きに傾斜するものではなく、鉛直方向へ伸びるものとした例を示している。このような構成であっても、左右方向中央部Ｍを折り曲げて上辺部を重ねた状態として持ち帰る際に、２個のカップコーヒーＣ１，Ｃ２の蓋同士が当接した状態でカップコーヒーＣ１，Ｃ２の下部間が開く内倒れ現象を抑制できる。
さらに、図１３（ｂ）の正面図に示す手提げポリ袋２は、内方帯状溶着シール部５を１つにして手提げポリ袋２の左右方向の長さ寸法（幅）を小さくしたものである。
すなわち、図１３（ｂ）の手提げポリ袋２は、底マチ３を形成する折込み部と、左右の側部Ｌ，Ｒから下方内向きに傾斜して前記折込み部までわたる左右一対の側方帯状溶着シール部４，４と、左右方向中央の上下方向中間部から下方へ伸びて前記折込み部までわたる１つの内方帯状溶着シール部５とを備え、側方帯状溶着シール部４及び内方帯状溶着シール部５間を夫々カップコーヒー１個の収容部Ａ１，Ａ２として２個のカップコーヒーを収容し、左右方向中央部Ｍを折り曲げて上辺部を重ねた状態として持ち帰るものである。
【００２９】
以上の説明においては、手提げポリ袋１，２が合成樹脂フィルム製である場合を示したが、例えばヒートシールしない側の面にアルミ蒸着等を施した遮熱フィルム製としてもよい。そのようにすれば、手提げポリ袋１，２自体が保温・保冷効果を有するようになるので、手提げポリ袋１，２によりカップコーヒーを持ち運んでいる際や、図５の斜視図のように手提げポリ袋１の上側部分を捲った状態でカップコーヒーを飲む際に、カップコーヒーを保温・保冷できるとともに、図５の斜視図のように手提げポリ袋１の上側部分を捲った状態でカップコーヒーを飲む際に、手に伝わる熱さや冷たさを和らげる効果が一層大きくなる。
また、以上の説明においては、カップコーヒーがコンビニエンスストアで１杯ごとに挽きたてをドリップしたものである場合を示したが、カップコーヒーはコーヒー専門店等で１杯ごとに挽きたてをドリップしたものであってもよい。
さらに、以上の説明においては、カップ飲料用手提げポリ袋にカップコーヒーを収容する場合を示したが、カップ飲料用手提げポリ袋に、コーヒー以外の飲料（例えば、紅茶、緑茶若しくはスープ、又は清涼飲料水若しくはアルコール飲料等）が入ったカップ容器を収容してもよい。すなわち本願発明の手提げポリ袋は、カップ飲料（飲料が入ったカップ容器）を持ち運ぶ際に用いるものである。
【符号の説明】
【００３０】
１，２  カップ飲料用手提げポリ袋
３  底マチ
４  側方帯状溶着シール部
５  内方帯状溶着シール部
６  溶断シール部
７  切断線
８，９，１０  打抜き部
Ａ１，Ａ２収容部
Ｂ  縮幅部
Ｃ１，Ｃ２  カップコーヒー
Ｄ，Ｄ１，Ｄ２  鉛直線に対する傾斜角度
Ｅ  開口部
Ｆ  折込み部
Ｇ  搬送方向
Ｈ１，Ｈ２  手穴
Ｉ，Ｊ  所定経路位置
Ｋ  最下流側の中間製造部材
Ｌ  側部
Ｍ  左右方向中央部
Ｎ  袋状部材
Ｒ  側部
Ｓ１  前シート
Ｓ２  後シート
Ｔ  チューブ状合成樹脂フィルム
【図１】
2016098039.tif 000003
【図２】
2016098039.tif 000004
【図３】
2016098039.tif 000005
【図４】
2016098039.tif 000006
【図５】
2016098039.tif 000007
【図６】
2016098039.tif 000008
【図７】
2016098039.tif 000009
【図８】
2016098039.tif 000010
【図９】
2016098039.tif 000011
【図１０】
2016098039.tif 000012
【図１１】
2016098039.tif 000013
【図１２】
2016098039.tif 000014
【図１３】
2016098039.tif 000015